(57)【要約】【課題】入力バイアスの瞬断したために通信が中断されたときに、ＩＥＥＥ−１３９４規格による物理層インターフェース（ＰＨＹ）を使用してデータ通信を自動的に再開させる処理方法及び物理層インターフェース・ポートを提供する。【解決手段】データ通信が中断されたのは、ネットワークから切り離されたことを原因とするのか否かを判定するために、ＰＨＹがネットワークに対する接続ステータスを示すフラグを調べ、前記フラグがまだ真にセットされているときは、意図的な切り離しによる中断ではないと判定し、通信を再開するためのレジューム・フラグを真にセットして通信を自動的に再開させる処理を実行し、また処理を実行するための機能を物理層インターフェース・ポートに備える。【選択図】図３ 
2004072770.tif 000002
【特許請求の範囲】
【請求項１】
　通信システムにおける第１の物理層インターフェース・ポートにおいてデータ通信を再開する方法において、
　第２の物理層インターフェース・ポートが検知されたときは、接続済みフラグを真にセットし、
　入力バイアスが検知されなかったときは、入力バイアス・フラグを偽にクリアし、かつ
　前記接続済みフラグが真であり、かつ前記入力バイアスが偽であったときは、レジューム・フラグを真にセットし、これによって前記第１の物理層インターフェース・ポートにデータ通信を自動的に再開させることからなる方法。
【請求項２】
　通信システムにおける物理層インターフェース・ポートにおいて、
　第１のセンサであって、異なる物理層インターフェースを検知したときは、接続済みフラグを真にセットさせる前記第１のセンサと、
　第２のセンサであって、入力バイアスが検知されなかったときは、入力バイアス・フラグをクリアにセットさせる前記第２のセンサと、
　前記第１のセンサ及び前記第２のセンサに接続されたコントローラであって、前記接続済みフラグが真であり、かつ前記入力バイアス・フラグが偽であったときは、レジューム・フラグを真にセットさせる前記コントローラであり、これによって前記コントローラが前記物理層インターフェース・ポートにデータ通信を自動的に再開させる前記コントローラを備えた物理層インターフェース・ポート。
【発明の詳細な説明】
【技術分野】
【０００１】
　本発明は、一般的に通信システムにおける物理層インターフェース（ｐｈｙｓｉｃａｌ　ｌａｙｅｒ　ｉｎｔｅｒｆａｃｅ：ＰＨＹ）の制御システムおよび方法に関し、特に入力バイアスの瞬断時に通信を自動的に再開させるシステムおよび方法。
【背景技術】
【０００２】
　電子システムは多数の構成要素を含み、これらの各々が種々の機能を実行する、これらの構成要素は、個々の構成要素を相互に接続することにより、かつ／又は個々の構成要素をデータ・バスへ接続することにより相互接続される必要がある。接続されるべき構成要素の形式及びこれらのデータ速度に従って、異なる種々の形式のバスが開発されていた。例えば、並列バスは、多数のデータ・ビットの同時転送を可能にする多数のデータ・ラインを含む。これに対し、直列バスは、一本のデータ・ラインのみを備え、またオプションとしてデータの適正な復号化を確保するためにクロック・ラインを備えることもできる。
【０００３】
　ＩＥＥＥ−１３９４規格は、高速直列バス用に提供され、また新たに出現する全てのデジタル電器製品（ＣＥ：ｃｏｎｓｕｍｅｒ　ｅｌｅｃｔｒｏｎｉｃｓ）装置間の通信を統一するシングル・バス基準として、ＥＣ工業により広く採用されていた。ＩＥＥＥ−１３９４規格の小型コネクタ及び直列データ・ケーブルにより、ＩＥＥＥ−１３９４が使用可能な装置は、消費者に優しい。更に、ＩＥＥＥ−１３９４規格のプロトコルは、プラグ・アンド・プレー動作をサポートする。ＩＥＥＥ−１３９４規格がデジタル・ビデオ・レコーダ１０２、デジタル・ケーブル・セット・ボックス１０４、デジタル・テレビジョン１０６及びオーディオ・ソース１０８のように、多くのＣＥ装置に適用可能になって来ているので、これらの装置は、図１に示すように、ＩＥＥＥ−１３９４に基づくネットワーク１００の一部として相互にディジー・チェーン接続される。これらのオーディオ装置及びビデオ装置は、必要とするものではないが、パーソナル・コンピュータ１１０に接続されてもよい。だたし、パーソナル・コンピュータそれ自体は、外部ハード・ディスク装置１１２、及びデジタル・カメラ１１６が取り付けられるプリンタ１１４のような周辺装置を含めてもよい。
【０００４】
　ここでは引用により組み込まれるＩＥＥＥ−１３９４規格の一部では、エネルギーを保存するために、個々の装置をサスペンデッド・ステート（ｓｕｓｐｅｎｄｅｄ　ｓｔａｔｅ）に設定することができる。例えば、データがデジタル・ビデオ・レコーダ１０２からそれ以上要求されないときは、パーソナル・コンピュータ１１０は、デジタル・ビデオ・レコーダ１０２をサスペンデッド・ステートに設定することができる。その後、デジタル・ビデオ・レコーダ１０２からのデータを必要とするときは、パーソナル・コンピュータ１１０は、デジタル・ビデオ・レコーダ１０２へ復帰コマンドを送出して、このソースからのデータを再びパーソナル・コンピュータ１１０により受信することができる。
【０００５】
　ＩＥＥＥ−１３９４−９５又は−１３９４ａ規格に基づいて動作する、又はＩＥＥＥ−１３９４ｂ規格に基づいて動作しデータ・ストローブ（Ｄ／Ｓ）モードのポートを有す、装置では、入力バイアスの喪失は、装置のＰＨＹポートをサスペンデッド・ステートへ遷移させる。入力バイアスの喪失が単なる瞬時的なものであって、装置をサスペンデッド・ステートに遷移させることを意図していないときは、問題が発生する。
【０００６】
　従来、装置をサスペンデッド・ステートへ遷移させる入力バイアスの瞬時的な喪失は、装置間でデータ通信を再開するために２アクションのうちの１つを必要としていた。第１のアクションは、装置間のＩＥＥＥ−１３９４直列データ・ケーブルを物理的に切り離すことである。この手動介入は、好ましいものではなく、消費者の不満を招く恐れがある。特に、このような手動介入は、多数の装置が相互にディジー・チェーン接続されているときに面倒なことになる。消費者は、ディジー・チェーン接続におけるどのリンクが問題を発生させたのかを知らないので、消費者は、ＩＥＥＥ−１３９４直列データ・ケーブルのそれぞれを強制的に切り離し、また再接続することがあり得る。
【０００７】
　サスペンデッド・ステートにある装置にデータ通信を再開させる得る第２のアクションは、スマート・コントローラ（ｓｍａｒｔ　ｃｏｎｔｒｏｌｌｅｒ）の使用を必要とする。このようなシステムにおいて、スマート・コントローラ、例えばパーソナル・コンピュータ１１０は、各装置をポーリングして、いずれかが意図しないサスペンデッド・ステートにないかを判定する。いずれかの装置が意図しないサスペンデッド・ステートにあることを発見したときは、復帰コマンドを送出する。このアプローチの欠点は、システムにスマート・コントローラの存在が必須であるが、何時もそうとはかぎらない。例えば、記録したビデオテープを再生するためにデジタル・ビデオ・レコーダ１０２をデジタル・テレビジョン１０６へ接続するのに、パーソナル・コンピュータ１１０は必要でない。この場合、スマート・コントローラは存在せず、また装置が要求された復帰コマンドを送信することもない。従って、消費者はＩＥＥＥ−１３９４直列データ・ケーブルを物理的に切り離し、また接続することが強いられる。
【０００８】
　Ｄ／Ｄモードで動作している装置が入力バイアス上の雑音スパイクに遭遇すると、この装置はこれらのスパイクをサスペンド・モードへ遷移するコマンドと解釈する恐れがある。公称入力バイアス電圧は、１．１６５Ｖ程度に低くなることがあり、一方、入力バイアスの喪失を検出するためのしきい値電圧は、１．０Ｖ程度の高さになることがある。０．２Ｖ以上の電圧降下は、新しい装置をディジー・チェーン接続網に接続するときに、発生し得る。これは、特に、ＩＥＥＥ−１３９４直列データ・ケーブルが新しい装置に電力を与える時、新しい装置に必要とされる突入電流により発生する。この問題に対する一つの解決方法は、これらのバイアス降下又は雑音スパイクをなくすように、ラインにロー・パス・フィルタを接続することである。しかしながら、ＩＥＥＥ−１３９４規格で述べているように（４．４．４項参照）、このフィルタは、２００〜３００ｎｓの比較的に短い時定数を有する必要がある。残念ながら、バイアス降下及び雑音スパイは、これよりも遙かに長い期間を有することが経験的に観測されている。
【０００９】
　発明の概要
　これら及びその他の問題は、データを連続送信するアクティブ・ステートに装置を自動的に戻す本発明の好ましい実施例により一般的に解決又は回避され、かつ技術的な効果も達成される。装置をアクティブ・ステートに自動的に戻すことにより、消費者は、ネットワークにおける各装置を物理的に切り離し、また再接続する必要性をなくす、又はスマート・コントローラを購入し、かつこれに各装置を接続する必要性をなくす。
【００１０】
　本発明の第１の実施例によれば、ＩＥＥＥ−１３９４適応通信システムにおける第１の物理層インターフェース・ポートでデータ通信を自動的に再開させる処理が開示される。この処理において、第１の物理層インターフェース・ポートが第２の物理層インターフェース・ポートとの接続について検知して、第２の物理層インターフェース・ポートとの接続が検知されたときは、接続済みフラグを真にセットする。第１の物理層インターフェース・ポートは、入力バイアスについて検知し、入力バイアスが検知されなかったのであれば、入力バイアス・フラグを偽にクリアする。これらの検知ステップに基づき、第１の物理層インターフェース・ポートは、接続済みフラグが真であり、かつ入力バイアス・フラグが偽であれば、レジューム（再開）・フラグ（ｒｅｓｕｍｅ　ｆｌａｇ）を真にセットする。レジューム・フラグを真にセットすることにより、第１の物理層インターフェース・ポートは、データ通信を自動的に再開させることができる。
【００１１】
　本発明の第２の実施例によれば、データ通信を自動的に再開させる、ＩＥＥＥ−１３９４適応通信システムにおける物理層インターフェース・ポートが開示される。第１の物理層インターフェース・ポートは、２つのセンサ及び１つのプロセッサを備えている。第１のセンサは、他方の物理層インターフェース・ポートを検知したときに、接続済みフラグを真にセットする。第２のセンサは、入力バイアスを検知しなかったときに、入力バイアス・フラグを偽にクリアする。前記第１及び第２のセンサの両方に接続されたプロセッサは、接続済みフラグが真であり、かつ入力バイアス・フラグが偽であれば、レジューム・フラグを真にセットする。プロセッサは、これによって第１の物理層インターフェース・ポートにデータ通信を自動的に再開させる。
【００１２】
　本発明の第３の実施例によれば、データ通信を自動的に再開させる、ＩＥＥＥ−１３９４適応通信システム内の物理層インターフェース通信ポートに使用するデジタル信号プロセッサ（ＤＳＰ）が開示される。ＤＳＰは、前記物理層インターフェース・ポートが他の物理層インターフェース・ポートとの接続を検知したときに、接続済みフラグを真にセットする処理コードを備えている。この処理コードは、物理層インターフェース・ポートが入力バイアスを検知しなかったときに、入力バイアス・フラグを偽にクリアする。最後に、接続済みフラグが真であり、かつ入力バイアス・フラグが偽であったときは、処理コードは、レジューム・フラグを真にセットさせる。レジューム・フラグを真にセットすることにより、処理コードは、物理層インターフェース・ポートにデータ通信を再開させる。
【００１３】
　本発明の効果は、本発明がディジー・チェーン接続装置のネットワークを稼働し続けるために必要とされる消費者の介入の度合いを最小化させることである。装置をアクティブ・ステートに自動的に復帰させることにより、消費者は、サスペンデッド・ステートにある装置を見付けようとしてネットワークにおける各装置を切り離すように強いられることはない。
【００１４】
　本発明の更なる効果は、アクティブ・ステートに自動的に戻ることにより、消費者がスマート・コントローラを使用するように強いられないことである。パーソナル・コンピュータは、記録したビデオテープを再生するために、デジタル・ビデオ・レコーダ１０２からデジタル・テレビジョン１０６へデータを転送させる必要はないので、消費者の介入及びコストが減少する。同様に、スマート・コントローラを必要としないことにより、一連の写真を印刷するためにデジタル・カメラ１１６及びプリンタ１１４のように、物言わぬ２装置を直接接続することができる。
【００１５】
　以上、下記の詳細な説明をよく理解できるように、本発明の技術的な特徴及び効果を概要的に説明した。本発明の請求の範囲の要旨を形成する本発明の付加的な特徴及び効果は、以下で説明される。当該技術分野に習熟している者は、本発明と同一の目的を達成するために、他の構造又は処理を設計又は変更するための基礎として、開示した概念及び特定の実施例を容易に利用できることを理解すべきである。当該技術分野に習熟している者は、更に、このような等価構造が添付する請求の範囲において記述した本発明の精神及び範囲から逸脱していないことを理解すべきである。
【００１６】
　本発明、及びその効果を更に完全に理解するために、ここで、添付図面に関連させて以下の説明を参照する。
【００１７】
　詳細な説明
　以下、現在好ましい実施例の処理方法を実行する処理及びシステムを詳細に説明する。しかしながら、本発明は、適用可能な多くの発明概念を提供するものであり、広範な種々の特定状況においてこれらを実施することができることを理解すべきである。説明する特定の実施例は、本発明を実施し、また使用するための特定方法の単なる説明であって、本発明の限定するものではない。
【００１８】
　本発明は、特定状況において好ましい実施例、即ち電子装置に関連して説明される。しかしながら、本発明は、更にＩＥＥＥ−１３９４規格、又は他の同様の基準若しくはプロトコルにより動作する他の通信システムに適用されてもよい。
【００１９】
　図２は、ＩＥＥＥ−１３９４規格を使用して簡単な２装置ネットワーク２００を示す。このネットワークは、ＩＥＥＥ−１３９４直列データ・ケーブル２０６バスにより相互接続された第１の装置２０２及び第２の装置２０４を備えている。第１の装置２０２及び第２の装置２０４は、図１のプリンタ１１４及びデジタル・カメラ１１６（又は他の装置）のような装置に対応させることができる。第１の装置２０２内には、リンク層２０８があり、これは第１の装置２０２内の回路（図示なし）からデータを受け取って、これを第１の装置２０２内のＰＨＹポート２１０へ転送する。ＰＨＹポート２１０は、データを適当なＩＥＥＥ−１３９４適合直列フォーマットに符号化して直列データ・ケーブル２０６上に送出する。第２の装置２０４内の仲間のＰＨＹポート２１２は、このデータを受信する。従って、仲間のＰＨＹポート２１２は、受信したデータを復号し、これを第２の装置２０４内のリンク層２１４に供給して第２の装置２０４により使用される。この処理は、データを第１の装置２０２から第２の装置２０４へ転送すると説明しているけれども、同様に、データを第２の装置２０４から第１の装置２０２へ転送することもできる。
【００２０】
　本発明の関連には、ネットワーク２００内のデータ転送の確立及び連続的なデータ転送がある。特に、このデータ転送は、可能とする入力バイアスの喪失により中断されることがあり、これが第１の装置２０２、第２の装置２０４をサスペンデッド・ステートへ遷移させることになり得る。
【００２１】
　ＩＥＥＥ−１３９４ａ規格内のアクティブ・ステート及びサスペンデッド・ステートに対する関連ステート・マシンを図３に示す。以下の説明はＩＥＥＥ−１３９４ａ規格に基づいているが、元のＩＥＥＥ−１３９４規格に適用可能であり、更にＩＥＥＥ−１３９４ｂ規格にも適用可能である。本発明は、これら後の改訂版が制定されたときには、ＩＥＥＥ−１３９４規格に対する後の改訂版にも適用すべきである。
【００２２】
　最初、第１の装置２０２は、ＩＥＥＥ−１３９４直列データ・ケーブル２０６を介して第２の装置２０４に非接続であり、切り離しステートＰ０により表されている。第１の装置２０２及び第２の装置２０４を相互に接続すると、第１の装置２０２のＰＨＹポート２１０内のポート接続検出回路は、第２の装置２０４の相手方ＰＨＹポート２１２が接続されたという信号を出す。これは、ＰＨＹポート２１０をレジューム・ステートＰ１へ遷移させる。レジューム・ステートＰ１において、ＰＨＹポート２１０は、それ自身の出力バイアスを駆動し、かつ入力バイアスの存在についてテストする。ＰＨＹポート２１０が接続され、かつ入力バイアスが存在すると、ＰＨＹポート２１０はアクティブ・ステートＰ２へ遷移する。アクティブ・ステートＰ２において、ＰＨＹポート２１０は、完全に動作可能であり、第２の装置２０４からデータを送信し、また受信することが可能である。
【００２３】
　アクティブ・ステートＰ２になると、ＰＨＹポート２１０は、３つの事象のうちの１つの事象が発生するまでは、このアクティブ・ステートＰ２にとどまる。その場合に、ＰＨＹポート２１０がサスペンド・イニシエータ・ステート（ｓｕｓｐｅｎｄ　ｉｎｉｔｉａｔｏｒ　ｓｔａｔｅ）Ｐ３か、又はサスペンド・ターゲット・ステート（ｓｕｓｐｅｎｄ　ｔａｒｇｅｔ　ｓｔａｔｅ）Ｐ４へ遷移する。第１の事象は、ＰＨＹポート２１０がリモート・コマンド・パケットを受信したために、サスペンド・イニシエータとして機能して、ＰＨＹポート２１０におけるサスペンド変数を真にセットさせる。ＰＨＹポート２１０は、応答によりリモート確認パケットを送信してサスペンド・コマンドの肯定応答をし、続いてＰＨＹポート２１２に信号を出して送信を停止させる。従って、ＰＨＹポート２１０は、サスペンド・イニシエータ・ステートＰ３へ遷移する。ＰＨＹポート２１０が受信ディセーブル、又はＰＨＹポート２１０をサスペンド・ターゲット・ステートＰ４へ遷移させる送信サスペンド・コマンドを受信したときは、第２の事象が発生する。
【００２４】
　ＰＨＹポート２１０が入力バイアスの喪失を検出すると、第３の事象、本発明により取り組まれた事象が発生する。通常、この入力バイアスの喪失は第２の装置２０４をネットワーク２００から切り離すことにより起こるが、これは、ＩＥＥＥ−１３９４ａ規格の下での雑音スパイクによる場合もある。ＰＨＹポートが入力バイアスの喪失を検出したときは、ＰＨＹポート２１０は入力バイアス・フラグを偽にクリアする。この場合、ＰＨＹポート２１０はサスペンド・イニシエータ・ステートＰ３に遷移する。
【００２５】
　ＰＨＹポート２１０がサスペンド・イニシエータ・ステートＰ３になると、ＰＨＹポート２１０は、相手のＰＨＹポート２１２がこのバイアスを取り除くことを待つ。相手のＰＨＹポート２１２が所定の期間内にそのバイアスを取り除かなかったときは、サスペンド・フォールト・フラグが真にセットされる。次いで、ＰＨＹポート２１０は、それ自身の出力バイアスを放電し、その出力をハイ・インピーダンス・ステートに設定する。同様に、ＰＨＹポート２１０がサスペンド・ターゲット・ステートＰ４であれば、ＰＨＹポート２１０は、その出力バイアスを放電して受信サスペンド信号の受信に対する肯定応答をし、従ってその出力をハイ・インピーダンス・ステートにする。その出力をハイ・インピーダンス・ステートにすると、ＰＨＹポート２１０は、サスペンド・イニシエータ・ステートＰ３、又はサスペンド・ターゲット・ステートＰ４からサスペンデッド・ステートＰ５へ遷移する。
【００２６】
　ＰＨＹポート２１０がサスペンデッド・ステートＰ５になると、ＰＨＹポート２１０は、通常、大抵のＰＨＹポート回路を低電力消費状態に設定する。ＰＨＹポート２１０が以上で述べたフォールト状態によりサスペンデッド・ステートＰ５へ遷移したとき、即ちＰＨＹポート２１２が入力バイアスを取り除かなかったときは、ＰＨＹポート２１０はサスペンデッド・ステートＰ５にとどまる。サスペンデッド・フォールト・フラグは、相手のＰＨＹポート２１２が入力バイアスを除去したときにのみ、偽にクリアされる。サスペンド・フォールト・フラグが偽にクリアされると、ＰＨＹポート２１０はステートを遷移することができる。
【００２７】
　ＰＨＹポート２１０は、サスペンデッド・ステートＰ５から切り離しステートＰ０又はレジューム・ステートＰ１へ遷移する。ＰＨＹポート２１０は、サスペンデッド・ステートＰ５にとどまっていても、ポート接続検出回路により、アクティブにとどまっていると判定されて、相手のＰＨＹポート２１２に対する物理的な接続を喪失したときは、切り離しステートＰ０へ遷移する。
【００２８】
　ＰＨＹポート２１０は、ＩＥＥＥ−１３９４規格による２つの環境のうちのいずれかにより、レジューム・ステートＰ１へ遷移する。ＰＨＹポートのレジューム・フラグが真であったときは、第１のものが発生する。従来技術において、スマート・コントローラが、ＰＨＹポート２１０をポーリングして意図しないサスペンデッド・ステートＰ５にあると判定した後、ＰＨＹポートのレジューム・フラグを真にセットすることが要求されることになっていた。代わって、サスペンド・フォールト・フラグが偽である間に、ＰＨＹポート２１０が入力バイアスを検出したきは、ＰＨＹポート２１０はレジューム・ステートＰ１へ再び遷移する。スマート・コントローラがＰＨＹポートのレジューム・フラグを真にセットすることなく、消費者は、ネットワーク２００から第１の装置２０２を物理的に切り離すことに直面し、従って第１の装置２０２がネットワーク２００へ再接続されるときは、ＰＨＹポート２１２それ自身を再初期化せざるをえない。
【００２９】
　本発明は、ＰＨＹポート２１０がＰＨＹポートのレジューム・フラグを真に自動的にセットしたことにより、個別的なスマート・コントローラ又は消費者の介入を必要としない。表１は、サスペンド・イニシエータ・ステートＰ３を処理するためにＩＥＥＥ−１３９４ａ規格からのサブルーチンを示す。少なくとも２つのアクションがこのサブルーチンを呼び出し得る間は、一方が本発明に最も関連していることに注意すべきである。問題のアクションは、ＰＨＹポート２１０が入力バイアスの喪失を検出して、入力バイアスを偽にクリアする時である。このサブルーチンを呼び出す他方のアクションは、ＰＨＹポート２１０がリモート。コマンド・パケットを受信し、これがＰＨＹポート２１０におけるサスペンド変数を真にセットする時である。
【００３０】
【表１】
2004072770.tif 000003
【００３１】
　表１における本発明の実施例は、２ラインのコードＡ１及びＡ２の付加を含み、ＰＨＹポート２１０及びその仲間のＰＨＹポート２１２が依然として接続されているときは、ＰＨＹポートのレジューム・フラグを真にセットする。ＰＨＹポートのレジューム・フラグが真であるとことを確認することにより、これは、速やかに、ＰＨＹポート２１０をサスペンデッド・ステートＰ５を通ってレジューム・ステートＰ１へ強制的に遷移させる。その仲間のサスペンデッド・ステートＰ５が第２の装置２０４をネットワーク２００から切り離されており、かつ通信がもはや不可能であることによりサスペンド・ステートＰ５であったときに、ＰＨＹポート２１２がアクティブ・ステートＰ２へ遷移しようとすることは、好ましくないので、ＰＨＹポート２１０及び相手のＰＨＹポート２１２が接続されていることを確認する。
【００３２】
　本発明及びその効果を詳細に説明したが、添付する請求の範囲により定義される本発明の精神及び範囲から逸脱することなく、ここで、種々の変更、置換及び代替が可能であることを理解すべきである。更に、本発明の適用の範囲は、明細書において説明した処理、マシン、手段、方法及び工程の特定の実施例に限定されない。当該技術分野において通常に習熟する者は、本発明の開示から、ここで説明した対応の実施例が本発明に従って利用可能とされるものとほぼ同一の機能を実行する、又は同一の結果を達成する現存の、又は後に開発される処理、マシン、手段、方法又は工程を容易に理解するであろう。従って、添付する請求の範囲は、このような処理、マシン、手段、方法又は工程をこれらの範囲内に含まれることを意図している。
【００３３】
　以上の説明に関して更に以下の項を開示する。
【００３４】
　　（１）通信システムにおける第１の物理層インターフェース・ポートにおいてデータ通信を再開する方法において、
　第２の物理層インターフェース・ポートが検知されたときは、接続済みフラグを真にセットし、
　入力バイアスが検知されなかったときは、入力バイアス・フラグを偽にクリアし、かつ
　前記接続済みフラグが真であり、かつ前記入力バイアスが偽であったときは、レジューム・フラグを真にセットし、これによって前記第１の物理層インターフェース・ポートにデータ通信を自動的に再開させることからなる方法。
【００３５】
　　（２）前記通信システムは、ＩＥＥＥ−１３９４規格の通信システムである第１項記載の方法。
【００３６】
　　（３）通信システムにおける物理層インターフェース・ポートにおいて、
　第１のセンサであって、異なる物理層インターフェースを検知したときは、接続済みフラグを真にセットさせる前記第１のセンサと、
　第２のセンサであって、入力バイアスが検知されなかったときは、入力バイアス・フラグをクリアにセットさせる前記第２のセンサと、
　前記第１のセンサ及び前記第２のセンサに接続されたコントローラであって、前記接続済みフラグが真であり、かつ前記入力バイアス・フラグが偽であったときは、レジューム・フラグを真にセットさせる前記コントローラであり、これによって前記コントローラが前記物理層インターフェース・ポートにデータ通信を自動的に再開させる前記コントローラを備えた物理層インターフェース・ポート。
【００３７】
　　（４）前記コントローラに接続されたリンク層を更に備え、前記リンク層は、前記物理層インターフェース・ポートを含む装置から前記コントローラへデータを送信し、前記リンク層は、前記コントローラからデータ受信し、かつ該データを前記物理層インターフェース・ポートを含む前記装置へ供給する第３項記載の物理層インターフェース・ポート。
【００３８】
　　（５）前記コントローラに接続されたデータ通信ポートを更に備え、前記データ通信ポートは、データを異なる物理層インターフェースへ送信し、前記データ通信ポートは前記異なる物理層インターフェース・ポートからデータを受信する第３項記載の物理層インターフェース・ポート。
【００３９】
　　（６）通信システムにおける物理層インターフェース・ポートにおいて、
　第２の物理層インターフェース・ポートを検知したときは、接続済みフラグを真にセットする手段と、
　入力バイアスを検知しなかったときは、入力バイアス・フラグを偽にクリアする手段と、
　前記接続済みフラグをセットする前記手段に接続された、レジューム・フラグをセットする手段であって、前記入力バイアスをクリアする手段、前記接続済みフラグが真かつ前記入力バイアス・フラグであったときは、前記レジューム・フラグを真にセットし、これによって前記物理層インターフェース・ポートにデータ通信を自動的に再開させる、前記レジューム・フラグをセットする手段と
を備えた前記物理層インターフェース・ポート。
【００４０】
　　（７）前記物理層インターフェース・ポートを含む装置から前記レジューム・フラグをセットする手段へデータを送信する手段であって、前記レジューム・フラグをセットする手段に接続された、前記データを送信する前記手段と、
　前記レジューム・フラグをセットする手段からデータを受信し、かつ前記データを前記物理層インターフェースを含む装置へ供給する手段であって、前記レジューム・フラグをセットする手段に接続された、前記データを受信する手段と
更に備えた第６項記載の物理層インターフェース・ポート。
【００４１】
　　（８）前記レジューム・フラグへ送信する手段に接続されたデータ通信手段を更に備え、前記データ通信手段は、前記第２の物理層インターフェース・ポートにデータを送信し、前記データ通信手段は、前記第２の物理層インターフェース・ポートからデータを受信する第６項記載の物理層インターフェース・ポート。
【００４２】
　　（９）通信システムにおける物理層インターフェース・ポートに備えられたデジタル信号プロセッサにおいて、
　他の物理層インターフェース・ポートを検知したときは、接続済みフラグを真にセットし、
　入力バイアスを検知しなかったときは、入力バイアス・フラグを偽にクリアし、かつ
　前記接続済みフラグが真であり、かつ前記入力バイアス・フラグであったときは、レジューム・フラグを真にセットし、これによって前記第１の物理層インターフェース・ポートにデータ通信を自動的に再開させる
デジタル信号処理コードを備えている前記デジタル信号プロセッサ。
【００４３】
　　（１０）ＩＥＥＥ−１３９４対応ＰＨＹにおいて、
　データ通信ポートであって、異なるＩＥＥＥ−１３９４対応ＰＨＹへデータを送信する前記データ通信ポート、前記異なるＩＥＥＥ−１３９４対応ＰＨＹからデータを受信する前記データ通信ポートと、
　第１のセンサであって、異なる物理層インターフェース・ポートを検知したときは、接続済みフラグを真にセットさせる前記第１のセンサと、
　前記データ通信ポート、前記第１のセンサ及び前記第２のセンサに接続されたコントローラであって、前記接続済みフラグが真かつ前記入力バイアスであったときは、レジューム・フラグを真にセットさせる前記コントローラであって、これによって前記ＩＥＥＥ−１３９４規格対応ＰＨＹにデータ通信を自動的に再開させる前記コントローラと
を備えたＩＥＥＥ−１３９４対応ＰＨＹ。
【００４４】
　　（１１）入力バイアスが瞬断したために通信が中断されたときに、ＩＥＥＥ−１３９４ＰＨＹを使用してデータ通信を自動的に再開させるシステム及び処理。前記ＰＨＹは、接続済みフラグのステータスをチェックすることにより、ＰＨＹがネットワークから切り離されためにデータ通信が中断されているか否かを判定する。接続済みフラグがまだ真にセットされているときは、前記ＰＨＹはネットワークから意図的に切り離されたのではなく、レジューム・フラグを真にセットすることにより、通信を自動的に再開するように試行する。本発明は、データ記憶又は編集のためにパーソナル・コンピュータに容易に接続可能とされるオーディオ及びビデオ・ソースを含むＩＥＥＥ−１３９４規格高速直列バス基準を使用した任意形式の通信装置にアプリケーションが見出される。前記システム及び処理は、ソフトウェア・コードを使用して実施され、かつデジタル信号プロセッサ（ＤＳＰ）内に備えられてもよい。
【図面の簡単な説明】
【００４５】
【図１】ＩＥＥＥ−１３９４高速直列バス基準を使用したネットワークの概要図である。
【図２】ＩＥＥＥ−１３９４規格を使用した２装置通信システムを示す。
【図３】ＩＥＥＥ−１３９４規格により実施したポート接続ステート・マシンを示す。
【符号の説明】
【００４６】
　１００　ネットワーク
　１１０　パーソナル・コンピュータ
　２０２、２０４　ＩＥＥＥ−１３９４装置
　２０８、２１４　リンク層
　２１０、２１２　ＰＨＹポート
【図１】
2004072770.tif 000004
【図２】
2004072770.tif 000005
【図３】
2004072770.tif 000006